(57)【要約】【課題】ウエットオンウエット方式の印刷において被印刷媒体の側面に生じたインキ汚れの再付着を防止する側面乾燥装置を提供する。【解決手段】被印刷媒体１０へインキ像を印刷する印刷部３の被印刷媒体搬送方向下流側に配設され、被印刷媒体１０の両側面のみにＵＶ光を照射して該側面に付着したインキを乾燥する。【選択図】  図１
2004195752.tif 000002
【特許請求の範囲】
【請求項１】
被印刷媒体が複数の印刷部を通過する際にＵＶ硬化型のインキ像が重ねて印刷され最後にインキ像の印刷面にＵＶ光が照射されて乾燥が行なわれるオフセット印刷機に用いられる側面乾燥装置において、
被印刷媒体へインキ像を印刷する印刷部の被印刷媒体搬送方向下流側に配設され、当該被印刷媒体の両側面のみにＵＶ光を照射して該側面に付着したインキを乾燥することを特徴とする側面乾燥装置。
【請求項２】
前記側面乾燥装置は、ＵＶ光照射部から被印刷媒体の表面側へ照射されたＵＶ光を遮光して両側面のみにＵＶ光を照射することによりインキを乾燥させることを特徴とする請求項１記載の側面乾燥装置。
【請求項３】
前記ＵＶ光照射部によるＵＶ光の照射角度は、水平方向より斜め下方から斜め上方に向かって照射されることを特徴とする請求項２記載の側面乾燥装置。
【請求項４】
請求項１乃至３のうちいずれか１記載の側面乾燥装置を備えたことを特徴とするオフセット印刷機。
【発明の詳細な説明】
【０００１】
【発明の属する利用分野】
本発明は、被印刷媒体が複数の印刷部を通過する際にＵＶ硬化型インキ像が重ねて印刷され最後にインキ像の印刷面にＵＶ光が照射されて乾燥が行なわれるオフセット印刷機に設けられる側面乾燥装置及び該側面乾燥装置を備えたオフセット印刷機に関する。
【０００２】
【従来の技術】
葉書、名刺、カード類などの被印刷媒体に印刷を行うオフセット印刷機は、様々な印刷方式が採用されている。例えば、図４（ａ）（ｂ）において、オフセット印刷機５１には、Ｍ（マゼンタ）、Ｙ（イエロー）、Ｃ（シアン）、Ｋ（ブラック）などＵＶ硬化型の各色インキを用いた印刷部５２（５２ａ、５２ｂ、５２ｃ、５２ｄ）が設けられている。また、各印刷部５２の被印刷媒体搬送方向下流側には印刷面を乾燥するＵＶ乾燥機５３（５３ａ、５３ｂ、５３ｃ、５３ｄ）が設けられている。図５において各ＵＶ乾燥機５３には、ＵＶ照射ランプ５４が設けられて印刷部５２ａ、５２ｂ、５２ｃ、５２ｄにより被印刷媒体に１色分印刷する度に、ＵＶ乾燥機５３ａ、５３ｂ、５３ｃ、５３ｄによりインキ像を乾燥させ、更に乾燥させたインキ像の上に他色インキ像を重ねて印刷する工程を繰り返すウエットオンドライ方式が用いられている。
【０００３】
或いはＭ（マゼンタ）、Ｙ（イエロー）、Ｃ（シアン）、Ｋ（ブラック）などの各色インキが各色印刷部を通過する被印刷媒体の印刷面に重ねて印刷され、最後に被印刷媒体をＵＶ乾燥装置に搬入して印刷面にＵＶ光を照射して乾燥するウエットオンウエット方式が採用されている（例えば特許文献１参照）。
【０００４】
【特許文献１】
特開２０００−２８０５９８号公報（段落番号００１３、００５２）
【０００５】
【発明が解決しようとする課題】
このウエットオンウエット方式の印刷機においては、比較的大判の被印刷媒体に印刷する場合には、印刷後にカードサイズに裁断しているため、カード側面にインキ汚れは発生し難い。しかしながら、予めカードサイズなどの被印刷媒体に印刷する場合には、複数のインキ像を逐一乾燥させることなく重ねて印刷するため、インキが被印刷媒体の両側面にだれ易く、側面にインキ汚れが発生し易い。
被印刷媒体の側面にインキ汚れが発生すると、各色印刷部へ搬入される前に見当装置で側面を幅方向に基準面に付き当てながら搬送されるため、見当装置にインキ汚れが生じて、次に搬送された被印刷媒体の幅方向側面を汚してしまうという課題があった。
【０００６】
本発明の目的は、上記従来技術の課題を解決し、ＵＶ硬化型のインキ像が重ねて印刷される際に被印刷媒体の側面に生じたインキ汚れの再付着を防止する側面乾燥装置及び該側面乾燥装置を備えて高品位画像を印刷することが可能なオフセット印刷機を提供することにある。
【０００７】
【課題を解決するための手段】
上記課題を解決するため、本発明は次の構成を備える。
被印刷媒体が複数の印刷部を通過する際にＵＶ硬化型のインキ像が重ねて印刷され最後にインキ像の印刷面にＵＶ光が照射されて乾燥が行なわれるオフセット印刷機に用いられる側面乾燥装置において、被印刷媒体へインキ像を印刷する各印刷部の搬送方向下流側に配設され、当該被印刷媒体の両側面のみにＵＶ光を照射して該側面に付着したインキを乾燥することを特徴とする。
また、側面乾燥装置は、ＵＶ光照射部から被印刷媒体の表面側へのＵＶ光を遮光して両側面のみにＵＶ光を照射してインキを乾燥させることを特徴とする。
また、ＵＶ光照射部によるＵＶ光の照射角度は、水平方向より斜め下方から斜め上方に向かって照射されることを特徴とする。
更には、オフセット印刷機においては、上述した側面乾燥装置を備えたことを特徴とする。
【０００８】
【発明の実施の形態】
以下、本発明の好適な実施の形態について添付図面と共に詳述する。
図１（ａ）（ｂ）はオフセット印刷機の平面図及び正面図、図２は側面乾燥装置の配置構成の説明図、図３は側面乾燥装置の拡大図である。
【０００９】
先ず、図１（ａ）（ｂ）を参照してオフセット印刷機の概略構成について説明する。１はオフセット印刷機である。オフセット印刷機１は、被印刷媒体（名刺、カード、封筒などの紙葉類、プラスチック材など）にモノクロ印刷はもちろんカラー印刷が行えるようになっている。被印刷媒体は、フィーダー２により一枚ずつ給送され、印刷部３に搬送されてＭ（マゼンタ）、Ｃ（シアン）、Ｙ（イエロー）、Ｋ（ブラック）などのＵＶ硬化型の各色インキによるインキ像が印刷される。各印刷部３ａ、３ｂ、３ｃ、３ｄには版胴、ブランケット胴、圧胴などが一体に設けられ、これらが被印刷媒体の搬送方向に沿って直列に４箇所で設けられている。各印刷部３ａ、３ｂ、３ｃ、３ｄにおいて、図示しないイメージスキャナにより各色毎に読み取られた刷版の画像データ或いはパーソナルコンピュータなどに描かれた刷版の画像データに基づいて各色インキ像が印刷される。
【００１０】
各印刷部３ａ、３ｂ、３ｃ、３ｄでは、版胴にインキ像が形成され、該インキ像が版胴からブランケット胴に転写され、該ブランケット胴と圧胴との間に搬送された被印刷材にインキ像が転写される。フィーダー２により送り出された被印刷媒体は、各印刷部３ａ、３ｂ、３ｃ、３ｄのブランケット胴と圧胴とのニップ部の上流側に設けられた見当装置４ａ、４ｂ、４ｃ、４ｄにより、幅方向で基準位置に位置決めされてニップ部へ送り込まれる。また、印刷後の被印刷媒体は、ブランケット胴と圧胴とのニップ部の下流側に設けられたベルト搬送装置５により次の印刷部３へ搬送される。次の印刷部３へ搬送される前に、当該印刷部３の搬送方向下流側に設けられた側面乾燥装置６により、被印刷媒体の両側面にＵＶ光を照射して該側面に付着したインキを乾燥するようになっている。そして、最後の印刷部３ｄでインキ像が塗布された後、印刷面乾燥装置７によりインキ像が最終的に乾燥される。
【００１１】
ここで側面乾燥装置６の構成について、図２及び図３を参照して詳述する。図２において、側面乾燥装置６は、印刷部３ａ、３ｂ、３ｃより下流側で被印刷媒体を搬送するベルト搬送装置５の両側に３箇所に設けられている。図３において、側面乾燥装置６は、被印刷媒体の搬送方向に平行にＵＶ光照射部８が設けられている。ＵＶ光照射部８は被印刷媒体１０の側面に沿って配列された光ファイバー９によりＵＶ光を被印刷媒体１０の幅方向両側面に照射するようになっている。側面乾燥装置６は、各印刷部３の被印刷媒体搬送方向下流側に設けられており、各印刷部３を通過してインキ像が印刷された被印刷媒体１０が次の印刷部３へ搬送される間に、両側面に付着したインキのみを乾燥させる。
【００１２】
また、ＵＶ光照射部８は、被印刷媒体１０の表面側へのＵＶ光を遮光板１１にて遮光して両側面のみにＵＶ光を照射してインキを乾燥させる。また、光ファイバー９のＵＶ光の照射角度は、水平方向より斜め下方から斜め上方に向かって照射されるようになっている。これにより、被印刷媒体１０の印刷面側にはＵＶ光が照射されず、インキが硬化することなくウエットオンウエット方式の印刷が行える。
【００１３】
上述した側面乾燥装置６を用いれば、ウエットオンウエット方式の印刷において被印刷媒体１０の側面に生じたインキ汚れの再付着を防止することができる。
また、印刷部３を通過してインキ像が印刷された被印刷媒体１０が次の印刷部３へ搬送される間に、被印刷媒体１０の搬送動作を停止することなく両側面に付着したインキのみを乾燥させるので、各色インキの印刷に要するサイクルタイムを遅延させることもない。また、側面乾燥装置６を備えたオフセット印刷機においては、印刷面を乾燥することなくインキ汚れが発生せずにウエットオンウエット方式の印刷が行えるので、高品位画像を印刷することが可能となる。
【００１４】
以上、本発明の好適な実施例について述べてきたが、本発明は上述した各実施例に限定されるのものではなく、オフセット印刷機は、側面乾燥装置６と印刷面乾燥装置７を並設すればウエットオンドライ方式の印刷も行える等、法の精神を逸脱しない範囲で多くの改変を施し得るのはもちろんである。
【００１５】
【発明の効果】
本発明は、上述したように、被印刷媒体へインキ像を印刷する印刷部の搬送方向下流側に、被印刷媒体の両側面のみにＵＶ光を照射して該側面に付着したインキを乾燥する側面乾燥装置が設けられているので、ＵＶ硬化型のインキ像が重ねて印刷される際に被印刷媒体の側面に生じたインキ汚れの再付着を防止することができる。また、印刷部を通過してインキ像が印刷された被印刷媒体が次の印刷部へ搬送される間に、被印刷媒体の搬送動作を停止することなく両側面に付着したインキのみを乾燥させるので、各色インキの印刷に要するサイクルタイムを遅延させることもない。
また、上記側面乾燥装置を備えたオフセット印刷機においては高品位画像を印刷することが可能となる。
【図面の簡単な説明】
【図１】オフセット印刷機の平面図及び正面図である。
【図２】側面乾燥装置の配置構成を示す説明図である。
【図３】乾燥装置の拡大図である。
【図４】従来のオフセット印刷機の平面図及び正面図である。
【図５】従来のＵＶ乾燥機の説明図である。
【符号の説明】
１  オフセット印刷機
２  フィーダー
３  印刷部
４  見当装置
５  ベルト搬送装置
６  側面乾燥装置
７  印刷面乾燥装置
８  ＵＶ光照射部
９  光ファイバー
１０  被印刷媒体
１１  遮光板
【図１】
2004195752.tif 000003
【図２】
2004195752.tif 000004
【図３】
2004195752.tif 000005
【図４】
2004195752.tif 000006
【図５】
2004195752.tif 000007